(57)【特許請求の範囲】
【請求項１】
連続する２枚のフィルムを境目部分を芯にして裏面同士が重なり合うよう巻き取ったフィルムロールに、その巻取状態を保持するよう巻きぐせを付与して、巻き取った２枚のフィルムが、その自由端を巻きぐせに抗して相反する方向に引っ張ることにより展開可能で、この引っ張り力を解除すると巻きぐせにより巻き戻るようにした巻取式スクリーンにより、壁面を形成した塗装ブース。
【請求項２】
複数のフィルムロールを、フィルムが一連となるよう連結し、この連結したフィルムロールに、その巻取状態を保持するよう巻きぐせを付与して、上記一連のフィルムが、その自由端を巻きぐせに抗して相反する方向に引っ張ることにより展開可能で、この引っ張り力を解除すると巻きぐせにより巻き戻るようにした巻取式スクリーンにより、壁面を形成した塗装ブース。
【請求項３】
上記フィルムが、ＰＥＴ（ポリエチレンテレフタレート）で形成されていることを特徴とする請求項１又は２に記載の塗装ブース。
【発明の詳細な説明】
【０００１】
【発明の属する技術分野】
この発明は、塗装の際に被塗装物を収容する塗装ブースに関するものである。
【０００２】
【従来の技術】
従来より、このような塗装ブースとしては、特表昭６３−５００４３８号に記載されたものがある。
【０００３】
この塗装ブース１９は、図６に示すように、壁面が、コンベア２に吊り下げられた被塗装物３を囲む合成樹脂製のフィルム２０で形成されている。このフィルム２０は、回動自在なローラーに多重に巻かれた状態でコンベア２の両側に沿って複数配置されており、それぞれの自由端が下方に巻き出されて、フレーム１０を介して所定形状のブース壁面を形成している。また、巻き出されたフィルム２０同士の突き合わせ部分には、適宜の間隔で塗装ガン１３が設けられている。そして、この巻き出されたフィルム２０は、下方に位置する巻取りローラー２１により随時巻き取られる。
【０００４】
この塗装ブース１９は、色替時に巻取りローラー２１によりフィルム２０が巻き取られるので、フィルム２０に付着した前色の塗料が飛散して塗装ガン１３からの塗装と混ざり塗装不良となる、ということがない。
【０００５】
【発明が解決しようとする課題】
ところで、この塗装ブース１９においては、巻取りローラー２１で巻き取ったフィルム２０は、巻き取られた状態で表面と表面とが互いにぴったり重なり合うので、塗装後に巻き取られると、塗装の際に裏面に付着した塗料が表面にも付着してしまう。この結果、巻き取られたフィルム２０は、表裏両面とも塗料が付着した状態となるため、同色塗装の際に再び塗装ブース１９の内面として利用しようとしても、塗装ブース１９の外面となる表面に上記巻き取りによって付着した塗料が工場内へ飛散して、粉塵による作業環境と安全衛生の悪化を引き起こすので、結局産業廃棄物として廃棄するしかなく再利用できない、という問題があった。
【０００６】
そこで、この発明は、塗装ブースの壁面を形成するフィルムを巻き取っても、フィルムの一方面に付着した塗料が他方面に付着することがないようにして、フィルムを再利用できるようにすることを課題とする。
【０００７】
【課題解決するための手段】
上記の課題を解決するために、この発明は、塗装ブースの壁面を、連続する２枚のフィルムを境目部分を芯にして表面同士が重なり合うよう巻き取ったフィルムロールに、その巻取状態を保持するよう巻きぐせを付与して、巻き取った２枚のフィルムが、その自由端を巻きぐせに抗して相反する方向に引っ張ることにより展開可能で、この引っ張り力を解除すると巻きぐせにより巻き戻るようにした巻取式スクリーンで形成した。また、複数の上記フィルムロールを、フィルムが一連となるよう連結し、この連結したフィルムロールに、その巻取状態を保持するよう巻きぐせを付与して、上記一連のフィルムが、その自由端を巻きぐせに抗して相反する方向に引っ張ることにより展開可能で、この引っ張り力を解除すると巻きぐせにより巻き戻るようにした巻取式スクリーンで形成してもよい。なお、ここにいう「壁面」は、スクリーン自体で形成される場合のみならず、スクリーンの外方に更に壁体を設けることにより形成される場合も含まれる。この場合、スクリーンは、塗装ブースの内壁となる。また、「２枚のフィルム」は、１枚のフィルムを折り曲げることによって形成されてもよい。
【０００８】
この発明に係る塗装ブースにおいては、壁面を形成する巻取式スクリーンのフィルムが、互いの裏面を重ね合わせるよう巻き取られるので、塗装後にフィルムを巻き取っても、フィルムの一方面に付着した塗料が他方面に付着することがない。このため、フィルムを再び巻き出しても、塗装ブースの外部に塗料が飛散しない。
【０００９】
【発明の実施の形態】
この発明に係る塗装ブースの実施の一形態を添付図面に基づいて説明する。
【００１０】
図１に示される塗装ブース１は、コンベア２に吊り下げられた被塗装物３を囲む壁面が、巻取式スクリーン４、５で形成されている。
【００１１】
この巻取式スクリーン４、５は、図２及び図３に示すように、一枚の合成樹脂製のフィルム２を上下方向の中央部で二ツ折りに折り返すと共に、この折り返し部分を芯にして裏面同士が重なり合うよう巻き取ってフィルムロール７を形成し、このフィルムロール７に、その巻取状態を保持するよう巻きぐせが付与されて、巻き取ったフィルム６が、その上下端をそれぞれ相反する方向に引っ張ることにより展開可能となっている。また、この巻取式スクリーン４、５は、上記引っ張り力を解除すると、巻き出されたフィルム６が巻きぐせにより自動的に巻き戻される。
【００１２】
この巻取式スクリーン４、５は、図１に示されるように、コンベア２の両側に位置し、フィルム６が巻き出された状態で、上端部がコンベア２下方のハウジング８の天井面に固定具９を介して取り付けられると共に、フレーム１０によって側方へ広げられて、所定形状のブースを形成している。
【００１３】
固定具９は、側方へスライド自在になっており、ハウジング８の天井面上を適宜スライドして所定位置で固定される。
【００１４】
また、巻取式スクリーン４、５は、下端部にバランスウェイト１１、１２が取り付けられている。このバランスウェイト１１、１２は、図１の右側に示すように、巻取式スクリーン４が短い場合はフィルム６を全部巻き出す程の重さのものがよく、図１の左側に示すように、巻取式スクリーン５が長い場合はフィルム６が所定の長さだけ巻き出されるような重さのものがよい。
【００１５】
この塗装ブース１は、このような巻取式スクリーン４、５をコンベア２に沿って多数並べることによって壁面が形成されており、巻取式スクリーン４、５のフィルム６の裏面が内面となっている。また、巻取式スクリーン４、５同士の隙間は、図１に示すように、塗装ガン１３を挿入するガンスロットになっている。
【００１６】
この塗装ガン１３は、ガンスロットに沿って上下に移動可能で被塗装物３を効率よく塗装できるようになっている。また、塗装ガン１３からの塗料は、バランスウェイト１１、１２の下方に位置するフィルターベルト１４により吸引される。
【００１７】
この塗装ブース１においては、コンベア２に吊り下げられて運ばれてきた被塗装物３が塗装ガン１３からの塗料により塗装され、この塗装ガン１３からの塗料が、塗装ブース１の内面、即ち巻取式スクリーン４、５のフィルム６の裏面に付着する。
【００１８】
塗装後にバランスウェイト１１、１２を持ち上げて、フィルム６を巻き戻しても、巻き戻されたフィルム６は、図３に示すように、裏面同士が互いに重なっているので、フィルム６の裏面の塗料１５がフィルム６の表面に付着しない。このため、巻取式スクリーン４、５のフィルム６を再び巻き出しても、フィルム６の表面から塗料１５が飛散しない。
【００１９】
したがって、この塗料ブース１は、巻取式スクリーン４、５を何回展開しても、塗料１５の粉塵により作業環境と安全衛生が悪化する、ということがない。巻取式スクリーン４、５の外方に、ブースのハウジングとして壁面を別途設けた場合には、この別途設けた壁面が塗料１５により汚れることがないので、清掃などの手間がかからない。なお、違う色に塗装する場合は、巻取式スクリーン４、５を新しいものに取り換え、前色の塗料が付着した巻取式スクリーン４、５を巻いた状態で保管すればよい。
【００２０】
そして、保管した巻取式スクリーン４、５に付着した塗料１５と同色の塗装をする際に、この保管しておいた巻取式スクリーン４、５を使用しても、この巻取式スクリーン４、５のフィルム６の表面に塗料１５が付着していないので、粉塵等の問題なく巻取式スクリーン４、５のフィルム６の再利用が図れる。
【００２１】
また、図４に示すように、巻取式スクリーン４、５を側方へ展開可能となるように配置して、塗装ブース１の壁面を形成すると、塗装ガン１３が、ガンスロット１６に沿って上下に移動できると共に、フィルム６の巻き出しと巻き戻しによって横方向にも移動できるようになる。なお、フィルム６同士の突き合わせ部分のそれぞれに、柔軟なゴム製等のシールシート１７を取りつけてガンスロット１６を構成すると、塗装ブース１の密閉度が上がる。
【００２２】
この実施の形態では、フィルム６をＰＥＴ（ポリエチレンテレフタレート）で２００μｍの厚さに形成し、このフィルム６を金属棒を芯にして巻き付けて、１６０℃に加熱することにより、巻きぐせが付けてある。
【００２３】
また、一枚のフィルム６を二ツ折りにし巻き取ってフィルムロール７が形成されているが、複数のフィルム６を一連に熱融着等で貼り付けるようにし、この一連のフィルムを巻き取るようにしてもよい。
【００２４】
さらに、図５に示すように、フィルム６の巻き取りの芯となる部分に芯棒１８を取り付けるようにしてもよいし、複数のフィルムロール７を、フィルム６が一連となるよう連結するようにしてもよい。
【００２５】
【効果】
この発明に係る塗装ブースは、以上のように構成されていることにより、壁面を形成する巻取式スクリーンのフィルムを巻き取っても、フィルムの両面が取りで汚れないので、巻取式スクリーンを何回展開してもフィルムに付着した塗料が外部に飛散することがなく、作業環境と安全衛生が悪化しない。
【００２６】
さらに、この塗装ブースは、色替時に巻取式スクリーンを取り換えることにより混色を防止することができ、前色の塗料が付着した巻取式スクリーンを、その塗料と同色の塗装を行う際に使用しても、ブースの外面となるフィルム面には塗料が付着していないため、粉塵等による環境悪化の問題も発生しない。このため、巻取式スクリーンのフィルムの再利用を図ることができる。
【図面の簡単な説明】
【図１】この塗装ブースの実施の一形態を示す正面図
【図２】巻取式スクリーンの実施の一形態を示す斜視図
【図３】巻取式スクリーンの要部拡大図
【図４】この塗装ブースの実施の他形態を示す斜視図
【図５】巻取式スクリーンの実施の他形態を示す側面図
【図６】従来の塗装ブースを示す正面図
【符号の説明】
１  塗装ブース
２  コンベア
３  被塗装物
４、５  巻取式スクリーン
６、２０  フィルム
７  フィルムロール
８  ハウジング
９  固定具
１０  フレーム
１１、１２  バランスウェイト
１３  塗装ガン
１４  フィルターベルト
１５  塗料
１６  ガンスロット
１７  シールシート
１８  芯棒
１９  従来の塗装ブース
２１  巻取りローラー
【図１】
0003597293.tif 000002
【図２】
0003597293.tif 000003
【図３】
0003597293.tif 000004
【図４】
0003597293.tif 000005
【図５】
0003597293.tif 000006
【図６】
0003597293.tif 000007